(57)【要約】      （修正有）【課題】容易にイヤーパッド部を着脱することができ、装着者の好みに合わせてヘッドバンド部を付け替えて使用できるヘッドホンを提供する。【解決手段】略Ｕ字状に形成されたヘッドバンド部２の両端部２ａ，２ａには、該ヘッドバンド部に対して着脱自在に構成されるイヤーパッド部３に形成された係止部が係止された状態でスライド自在とした嵌合レールが形成されるとともに、前記嵌合レールの間には前記ヘッドバンド部の幅方向に沿って形成された凹溝部２１が略平行に複数並設され、前記イヤーパッド部の背面側には、バネ付勢されて出没自在に保持された作動子が設けられており、前記イヤーパッド部を前記嵌合レールの係止部に係止させた状態でスライドさせることにより前記作動子が前記凹溝部に嵌まりこみ、前記ヘッドバンド部に装着されたイヤーパッド部を位置決め自在としたことを特徴とする。【選択図】図１
0003165555.tif 000002
【実用新案登録請求の範囲】
【請求項１】
略Ｕ字状に形成されたヘッドバンド部と、該ヘッドバンド部に対して着脱自在に構成されるイヤーパッド部とを備え、
前記ヘッドバンド部の両端部には、前記イヤーパッド部に形成された係止部が係止された状態でスライド自在とした嵌合レールが形成されるとともに、前記嵌合レールの間には前記ヘッドバンド部の幅方向に沿って形成された凹溝部が略平行に複数並設され、
前記イヤーパッド部の背面側には、バネ付勢されて出没自在に保持された作動子が設けられており、
前記イヤーパッド部を前記嵌合レールの係止部に係止させた状態でスライドさせることにより前記作動子が前記凹溝部に嵌まりこみ、前記ヘッドバンド部に装着されたイヤーパッド部を位置決め自在としたことを特徴とするヘッドホン。
【請求項２】
請求項１において、
前記ヘッドバンド部は２．５〜５．０ｃｍの幅広に形成されていることを特徴とするヘッドホン。
【請求項３】
請求項１または請求項２において、
前記嵌合レールの挿入口には、傾斜状爪部が形成されていることを特徴とするヘッドホン。
【考案の詳細な説明】
【技術分野】
【０００１】
本考案は、ヘッドホンに関する。
【背景技術】
【０００２】
従来より、音楽等を聴くため耳に装着して使用するヘッドホンが知られている。
ヘッドホンは、頭部に装着するヘッドバンド部と、耳に装着するイヤーパッド部とを備え、ヘッドバンド部とは別に構成されたスライド部を調整することにより、イヤーパッド部の取り付け位置を調整するものが知られている。このようなヘッドホンの例としては、例えば下記特許文献１及び下記特許文献２に記載のものが挙げられる。
【０００３】
下記特許文献１には、可撓性を有するヘッドバンドと、ヘッドバンドの端部にスライド可能に取り付けられたスピーカ部を有するスライド部とを備えたヘッドホンが開示されている。このヘッドホンは、スライド部を収納位置方向に付勢する付勢手段を備え、付勢手段が左右のスライド部を繋ぐ単一の手段で、装着時の装着動作でスライド部が付勢手段の付勢力に抗してスライドするよう構成されている。したがって、これによれば、必要に応じてスライド部を引き出すことができ、非装着時にはスライド部を縮めてコンパクトにすることができるとされている。
【０００４】
また下記特許文献２には、ヘッドバンドおよびイヤーパッドが取り付けられたスライダが可撓性を有しており、ヘッドバンドおよびスライダよりも高い剛性を有し、スライド溝に係合されたスライダガイドにより、ヘッドバンドの一面に対してヘッドバンドの一面に対向するスライダの一面が周動可能なようにヘッドバンドの端部にスライダの一端部が保持される。
このため、ヘッドバンドおよびスライダは、互いに挿入または挿通されない状態で取り付けられ、ヘッドバンドは装着者の頭部のサイズに追従するように撓んだ状態で利用でき、ヘッドホンの装着性の低下を抑制することができるとされている。
【先行技術文献】
【特許文献】
【０００５】
【特許文献１】特許第３６１０６１８号公報
【特許文献２】特開２０１０−５０６４７号公報
【考案の概要】
【考案が解決しようとする課題】
【０００６】
ところで、近年、ヘッドホンを装着していること自体をファッションとして捉え、ヘッドホンのヘッドバンド部を服を着替えるようにその日のファッションにあわせて変えられるものが求められている。またヘッドバンド部のデザインも装着者の個性、好みなどに合わせて自在にカスタマイズできるものが求められている。
しかしながら、上記特許文献１及び上記特許文献２に記載のヘッドバンド部は、装着者の好みに合わせてそのデザインや色を選択したり、装飾したりできる構成にはなっていなかった。
【０００７】
本考案は、上記実情に鑑みなされたものであり、容易にイヤーパッド部を着脱することができ、装着者の好みに合わせてヘッドバンド部を付け替えて使用できるヘッドホンを提供することにある。
【課題を解決するための手段】
【０００８】
上記目的を達成するために、略Ｕ字状に形成されたヘッドバンド部と、該ヘッドバンド部に対して着脱自在に構成されるイヤーパッド部とを備え、前記ヘッドバンド部の両端部には、前記イヤーパッド部に形成された係止部が係止された状態でスライド自在とした嵌合レールが形成されるとともに、前記嵌合レールの間には前記ヘッドバンド部の幅方向に沿って形成された凹溝部が略平行に複数並設され、前記イヤーパッド部の背面側には、バネ付勢されて出没自在に保持された作動子が設けられており、前記イヤーパッド部を前記嵌合レールの係止部に係止させた状態でスライドさせることにより前記作動子が前記凹溝部に嵌まりこみ、前記ヘッドバンド部に装着されたイヤーパッド部を位置決め自在としたことを特徴とする。
【０００９】
かかる構成によれば、イヤーパッド部がヘッドバンド部に対して着脱自在に構成されているため、ヘッドバンド部を取り替えて装着することができる。従って、例えば色や柄等が異なる複数のヘッドバンド部を用意しておけば、その日のファッション等にあわせてヘッドバンド部を取り替えてヘッドホンとして使用することができる。
イヤーパッド部は、その係止部をヘッドバンド部に形成された嵌合レールに係止させスライドさせれば容易にヘッドバンド部に取り付けることができる。
またイヤーパッド部を嵌合レールの係止部に係止させた状態でスライドさせることにより作動子が凹溝部に嵌まりこみ、ヘッドバンド部に装着されたイヤーパッド部を位置決め自在とすることができる。したがって、装着者の頭部の大きさ、耳の位置にあわせて、イヤーバッド部の取り付け位置を調整できるので、付け心地よいヘッドホンとすることができる。
【００１０】
また本発明において、前記ヘッドバンド部は２．５〜５．０ｃｍの幅広に形成されているものとしてもよい。
かかる構成によれば、ヘッドバンド部のデザイン可能範囲を確保することができるので、グラフィックやロゴ、メッセージのプリントをしたり、好みのステッカーやシールなどを自由に貼ることができる。
【００１１】
さらに本発明において、前記嵌合レールの挿入口には、傾斜状爪部が形成されているものとしてもよい。
かかる構成によれば、傾斜状爪部が引っかかりになり、嵌合レールから容易にイヤーパッド部が外れてしまうことを防止することができる。
【考案の効果】
【００１２】
本考案に係るヘッドホンによれば、容易にイヤーパッド部を着脱することができ、装着者の好みに合わせてヘッドバンド部を付け替えて使用できる。
【図面の簡単な説明】
【００１３】
【図１】本考案に係るヘッドホンを説明するための外観斜視図である。
【図２】（ａ）及び（ｂ）は、同ヘッドホンのイヤーパッド部を説明するための模式図であり、（ａ）はイヤーパッド部の背面図、（ｂ）はイヤーパッド部の側面図である。
【図３】（ａ）及び（ｂ）は、同ヘッドホンのヘッドバンド部とイヤーパッド部との嵌合関係を説明するための断面図である。
【図４】（ａ）及び（ｂ）は、同ヘッドホンのヘッドバンド部に設けられる嵌合レールを説明するための斜視図である。
【図５】（ａ）は同ヘッドホンのヘッドバンド部の一例を示す斜視図であり、（ｂ）は同ヘッドホンを装着した状態を示す図である。
【考案を実施するための形態】
【００１４】
以下に、本考案の実施形態について、添付図面を参照しながら説明する。
本考案に係るヘッドホン１は、略Ｕ字状に形成されたヘッドバンド部２と、該ヘッドバンド部２に対して着脱自在に構成されるイヤーパッド部３とを備えている。
ヘッドバンド部２の両端部２ａ，２ａのそれぞれには、イヤーパッド部３に形成された係止部３０が係止された状態でスライド自在とした嵌合レール２４が形成されるとともに、嵌合レール２４の間にはヘッドバンド部２の幅方向に沿って形成された凹溝部２１が略平行に複数並設され、イヤーパッド部３の背面側には、バネ付勢されて出没自在に保持された作動子３１が設けられている。イヤーパッド部３を嵌合レール２４の係止部３０に係止させた状態でスライドさせることにより作動子３１が凹溝部２１に嵌まりこみ、ヘッドバンド部２に装着されたイヤーパッド部３を位置決め自在としている。
以下、詳しく説明する。
【００１５】
ヘッドバンド部２のバンド本体２０は、弾性を有した硬質の樹脂材などからなる円弧状の帯板体で、側面視において略Ｕ字状に形成され、樹脂材としては、例えばポリプロピレン等が用いられる。ヘッドバンド部２の両端部２ａ，２ａは、両手で持ったときに拡径方向に軽く押し広げることができ、この押し広げた状態で両端部２ａ，２ａの間に形成される開放部２ｂから頭部を挿入しヘッドホン１を装着する（図５（ｂ）参照）。このとき、開放部２ｂの寸法は、ヘッドバンド部２の弾性力をして自在に変えられるよう構成されている。
バンド本体２０の幅方向の寸法は、特に限定されるものではないが、２．５〜５．０ｃｍの幅広に形成されているものとしてもよい。特に図例のように４．０ｃｍ〜５．０ｃｍ程度の幅のあるものすることが望ましい。バンド本体２０の幅方向の寸法が、２．５ｃｍより小さい場合は、デザイン可能範囲を十分確保することが難しい傾向となる。また後記するイヤーパッド部３の着脱機構を形成する場所の確保も難しい傾向となる。一方、バンド本体２０の幅方向の寸法が、５．０ｃｍより大きい場合は、バンド本体２０が大きくなりすぎて装着性が悪くなる傾向となる。
【００１６】
かかる構成によれば、図５（ａ）に示すようにヘッドバンド部２のデザイン可能範囲を確保することができるので、グラフィックやロゴ、メッセージのプリントをしたり、好みのステッカーなどを自由に貼り付けて自分好みにカスタマイズすることができる。
ここで、ヘッドバンド部２のデザイン（柄）は、図例に限定されるものではなく、様々な色のプラスチック材からなるものとしてもよいし、リボンやフェイクファーなどを施し装飾したものとしてもよい。また携帯電話や爪などを装飾するためのジュエリーシール（ラインストーン）や食べ物、花、動物などをかたどったパーツなどをヘッドバンド部２に貼り付けてもよい。さらに布やシートをヘッドバンド部２の全面または部分的に巻きつけたものとしてもよい。そして図５（ａ）の右端に示すようにヘッドバンド部２の表面だけでなく、裏面にもシールなどを貼り付けるようにしてもよい。
【００１７】
バンド本体２０の端縁部２ｃの形状は特に限定されるものではないが、図１に示すように角張った箇所がないよう面取り加工されているものが望ましい。
また両端部２ａ，２ａの形状も特に限定されるものではないが、図１に示すように円弧状に丸みを帯びた形状とすることが望ましい。
いずれも角張った箇所をなくすことにより、安全面で取り扱いしやすいものとすることができる。
【００１８】
バンド本体２０の端部２ａには、くぼんだ段差状となっている凹所２２が形成されている。凹所２２の周縁部には、薄状帯板体の係止部材２３が接着されて固定状態に取り付けられている。係止部材２３は、凹所２２の周縁部に沿って設けられるため、周縁部の形状に応じて形成され、図例のものは、平面視において略Ｕ字状に形成されている。
これにより、図４（ａ）に示すように凹所２２と係止部材２３との間に隙間が形成され、これがイヤーパッド部３の係止部３０が係止される嵌合レール２４となる。
【００１９】
ここで嵌合レール２４の挿入口２４ａは、図４（ａ）に示すようになんら突起部のないものとしてもよいし、図４（ｂ）に示すように係止部材２３の端部に鉤状の傾斜状爪部２３ａが形成されているものとしてもよい。
図４（ａ）に示すようになんら突起部のないものとすれば、イヤーパッド部３の着脱が容易にできる。すなわち、イヤーパッド部３を嵌合レール２４から取り外す際には、挿入口２４ａ方向にイヤーパッド部３をスライドさせれば容易に嵌合レール２４と係止部３０の係合状態を解除できる。
一方、図４（ｂ）に示すように傾斜状爪部２３ａを備えたものとすれば、嵌合レール２４に係止されたイヤーパッド部３の係止部３０が傾斜状爪部２３ａに引っかかって容易にイヤーパッド部３が外れてしまうことを防止することができる。
この場合、イヤーパッド部３をヘッドバンド部２から取り外すには、イヤーバッド部３の背面をヘッドバンド部２に押し当て、作動子３１を圧して作動子保持部３３内に没した状態で挿入口２４ａ方向にイヤーパッド部３をスライドさせばよい。
【００２０】
嵌合レール２４の挿入口２４ａの近傍には、図４（ａ）、図４（ｂ）に示すように緩やかな傾斜部２０ｂが形成されているものとしてもよい。
これによれば、イヤーパッド部３の背面を傾斜部２０ｂに沿って挿入口２４ａへと滑らせれば、イヤーパッド部３の係止部３０を嵌合レール２４に容易に係止させることができる。
【００２１】
ヘッドバンド部２の凹所２２内には、ヘッドバンド部２の幅方向に沿って形成された凹溝部２１が略平行に複数並設されている。
凹溝部２１の形状は特に限定されるものではないが、イヤーパッド部３の作動子３１が転がりながら動くように作動子３１の形状に合わせて円弧状とされることが望ましい（図１・拡大図参照）。
また凹溝部２１の個数も特に限定されるものではないが、装着者の様々の頭の大きさにあわせられるように、またイヤーパッド部３の装着位置を好みの位置に設定できるよう少なくとも５個以上設けられていることが望ましい。
さらに凹溝部２１と凹溝部２１との間隔も特に限定されるものではないが、例えばおよそ０．８ｍｍ〜２．０ｍｍ程度とすることが望ましい。これによれば、イヤーパッド部３の取り付け位置の調整をおよそ０．８ｍｍ〜２．０ｍｍの間隔で行うことができ、装着性を向上させることができる。
なお、凹溝部２１は、それらの間隔がほとんどない連続して設けられるものとしてもよい。間隔が狭くなればなるほど調整の間隔を狭くできるからである。一方、凹溝部２１と凹溝部２１との間隔が広くなり２．０ｍｍより間隔が空くと、イヤーパッド部３の取り付け位置の調整がきめ細かくできない傾向となる。
【００２２】
イヤーパッド部３は、図２の（ａ）及び（ｂ）に示すように、スピーカユニット等が内蔵されたハウジング部３５と、装着者の耳にあてるクッション部３６とを備えている。ハウジング部３５からはスピーカユニットと電気的に接続されたコード部４が引き出され、コード部４の先側に設けられたコネクタ部（不図示）を音源装置のコネクタ部に接続すれば音楽等が聞けるように構成されている。コード部４としては、ファブリックケーブルを用いれば、コード部４が絡まりにくいものとすることができる。
クッション部３６の構成は特に限定されるものではなく、図例のように柔らかな合皮でドーナツ型のスポンジを覆うようにして構成すれば、イヤーパッド部３が耳に長時間当たっていても痛みを感じず、装着性のよいものとすることができる。
【００２３】
イヤーパッド部３の背面、すなわちハウジング部３５の背面には、ハウジング部３５から突出して形成された支持部３２と、嵌合レール２４を構成する係止部材２３に係止され、支持部３２の端部から外向き鍔状に延出して設けられた係止部３０とを備えている。
また支持部３２の内方には作動子３１が収容される作動子保持部３３が設けられており、作動子保持部３３内には、作動子３１と作動子３１をバネ付勢するためのバネ材３４とが内装されている。具体的には、作動子保持部３３は、図２（ｂ）の拡大図に示すように有底の中空円筒体からなり、その底部にはバネ材３４が収容できる凹部３３ａが設けられている。そしてバネ材３４の上方には空間が設けられ、そこに金属球からなる作動子３１を収容できるようになっている。
ここで作動子３１は、金属体に限定されず、硬質のものであれば、樹脂材でもよい。また作動子３１は球体に限定されず、半球体であってもよい。この場合、球面が外方に露出し、平坦面がバネ材３４によってバネ付勢されるように設けられる。
なお、作動子３１が球体の場合は、イヤーパッド部３を嵌合レール２４に沿わせてスライドさせる際に作動子３１が回転するので、スムーズにイヤーパッド部３を移動させることができる。
【００２４】
イヤーパッド部３に設けられた係止部３０は、係止部材２３と凹所２２の間に形成された嵌合レール２４に挿入され、係止部材２３で係止されるように薄板体で構成される。
図３（ａ）及び図３（ｂ）は、イヤーパッド部３を嵌合レール２４に挿入して係止させた状態を示している。
作動子３１はイヤーパッド部３がバンド本体２０に取り付けられている際には、常にバネ材３４（図２（ｂ）参照）によってバンド本体２０側に向かって付勢され且つ回転自在とされている。従って、上述したように挿入口２４ａからイヤーパッド部３をスライドさせると作動子３１が回転し、スムーズにイヤーパッド部３を動かすことができる。詳しくは、以下のとおりである。
【００２５】
図３（ａ）は、イヤーパッド部３が嵌合レール２４に係止された状態を示しており、ここに示す作動子３１は、凹溝部２１に嵌まり込んでいる。
この状態では、特にイヤーパッド部３を凹所２２に向けて押圧していないので、バネ材３４が伸びて作動子３１を押し上げ、作動子保持部３３から作動子３１が突出する。このときの作動子３１の突出幅をｄ１として図３（ａ）に示している。
このように作動子３１が常にバネ材３４によってバネ付勢されているため、係止部３０と係止部材２３との間にはほとんど隙間が形成されない状態となる。この状態でも作動子３１がイヤーパッド部３の動きに合わせて出没を繰り返すので、嵌合レール２４に沿ってイヤーパッド部３をスムーズにスライド移動させることができる。
なお、図２（ｂ）は、イヤーパッド部３が嵌合レール２４に係止されず、且つ作動子３１が何ら押圧力を受けていないフリーの状態を示しており、作動子３１が最も突出した状態を示している。
【００２６】
図３（ｂ）は、イヤーパッド部３がヘッドバンド部２の凹所２２に向けて押圧され、作動子３１が没した状態を示している。このときの作動子３１の突出幅をｄ２として図３（ｂ）に示している。
このようにイヤーパッド部３の背面に押圧力をかければ、バネ材３４が縮んで作動子３１が没する。そして、イヤーパッド部３の背面をヘッドバンド部２の凹所２２に押し当てた状態でスライドさせれば、係止部３０と係止部材２３との間に隙間が生じ、イヤーパッド部３を嵌合レール２４に沿ってスライドさせやすい状態とすることができる。これにより、図４（ｂ）に示すような傾斜状爪部２３ａが係止部材２３に形成されていても、これを回避してイヤーパッド部３をスムーズにスライド移動させることができる。
【００２７】
以上のように構成された作動子３１は、凹所２２に押し当てられた状態でスライドし、凹溝部２１が形成されている位置に作動子３１が移動してくると作動子３１がバネ材３４によって凹溝部２１側へ突出し凹溝部２１に嵌まり込む（図３（ａ）の状態）。すると、作動子３１が凹溝部２１にあたって、「カチッ」という音がする。従って、イヤーパッド部３が嵌まったことを装着者は手の感触と耳で確認することができ、イヤーパッド部３の取り付け位置を最適な位置に変更、微調整することができる。
このイヤーパッド部３の取り付け位置の調整は、ヘッドホン１を装着した状態でも行うことができる。
【００２８】
次にイヤーパッド部３のバンド本体２０への着脱要領について説明する。
まずは、図４（ａ）に示す嵌合レール２４にイヤーパッド部３を着脱する要領について説明する。
図２（ｂ）に示すようにコード部４が下方になるようにイヤーパッド部３を持ち、イヤーパッド部３の背面を傾斜部２０ｂに押し当てながら、挿入口２４ａから係止部３０を挿入する。このとき係止部３０は、図３（ａ）に示すように係止部材２３の下方に位置するように嵌め入れればよく、イヤーパッド部３を傾斜部２０ｂに強く押し当てなくても嵌合レール２４に係止状態とすることができる。そして、この状態で嵌合レール２４に沿わせてスライド移動させれば、イヤーパッド部３を取り付けることができる。
あとは、イヤーパッド部３の取り付け位置を調整し、所望の位置に移動させればよい。
そしてイヤーパッド部３をバンド本体２０から取り外すときには、イヤーパッド部３を挿入口２４ａに向かって移動させ、そのまま傾斜部２０ｂ側へスライドさせれば、イヤーパッド部３を取り外すことができる。
以上によれば、イヤーパッド部３を特に強く凹所２２に押し当てなくても、図１の白抜矢印方向に「カチカチ」と音をたてながら、イヤーパッド部３を嵌合レール２４に沿って動かすことができ、イヤーパッド部３をバンド本体２０から容易に着脱をすることができる。
【００２９】
次に図４（ｂ）に示す嵌合レール２４にイヤーパッド部３を着脱する要領について説明する。
この例においても、基本的な動作は上述の図４（ａ）の場合と同じであるが、傾斜状爪部２３ａを備えているため、イヤーパッド部３の係止部３０が傾斜状爪部２３ａを通過する際のみ、イヤーパッド部３の背面を傾斜部２０ｂに押し当て、作動子３１を没した状態（図３（ｂ）の状態）でスライドさせる点が異なる。
図２（ｂ）に示すようにコード部４が下方になるようにイヤーパッド部３を持ち、イヤーパッド部３の背面を傾斜部２０ｂに押し当てながら、挿入口２４ａから係止部３０を挿入する。このとき係止部３０は、図３（ｂ）に示すように係止部材２３の下方に位置するように嵌め入れるとともに、イヤーパッド部３の背面を傾斜部２０ｂに押し当て、作動子３１のほとんどが作動子保持部３３内に没した状態でスライドさせる。すると、係止部３０と傾斜面２０ｂとの間の隙間がほぼない状態にまで接近するとともに、係止部３０と係止部材２３との間には傾斜状爪部２３ａの出っ張り分の隙間が生じる。そしてこの状態で嵌合レール２４の挿入口２４ａに向かって挿入していけば、傾斜状爪部２３ａに引っかかることなく、スムーズに係止部３０を嵌合レール２４に係止状態とすることができる。その後は、その状態で嵌合レール２４に沿わせてスライド移動させれば、イヤーパッド部３の取り付け完了である。
あとは、イヤーパッド部３の取り付け位置を所望の位置に移動させればよい。
以上によれば、傾斜状爪部２３ａの下を通過させるとき以外は、イヤーパッド部３を特に凹所２２に押し当てる必要はなく、図１の白抜矢印方向に「カチカチ」と音をたてながら、イヤーパッド部３を嵌合レール２４に沿って動かすことができる。
【００３０】
そしてイヤーパッド部３をバンド本体２０から取り外すときには、イヤーパッド部３を挿入口２４ａに向かって移動させ、そのまま傾斜部２０ｂ側へスライドさせる。
傾斜状爪部２３ａ近傍までイヤーパッド部３をスライドさせたら、取り付け時と同様にイヤーパッド部３の背面を傾斜部２０ｂに押し当て、作動子３１のほとんどが作動子保持部３３内に没した状態にしてスライドさせる。傾斜状爪部２３ａに引っかかることなく、イヤーパッド部３の係止部３０の嵌合レール２４への係止状態が解除され、イヤーパッド部３を取り外すことができる。
以上によれば、傾斜状爪部２３ａの存在により、イヤーパッド部３が嵌合レール２４から容易に外れてしまうことがないものでありながら、イヤーパッド部３を傾斜状爪部２３ａが形成された挿入口２４ａ付近でのみ押圧しながらスライドすればよいので、イヤーパッド部３をバンド本体２０から容易に着脱をすることができる。
【００３１】
このように傾斜状爪部２３ａがある場合もない場合でも、イヤーパッド部３をバンド本体２０から容易に着脱をすることができるので、ヘッドバンド部２の付け替えて使用することができる。例えば、図５（ａ）に示すように色や柄のデザインが異なるヘッドバンド部２を複数本用意しておけば、装着者が複数ある中のひとつを選んで、選んだヘッドバンド部２にイヤーパッド部３を上述の要領で取り付ければすぐにヘッドホン１として使用することができる。
こうしてヘッドホン１のヘッドバンド部２を服を着替えるようにその日のファッションや気分にあわせて変えることができる。
【００３２】
なお、ヘッドホン１、ヘッドバンド部２、イヤーパッド部３等の形状、構成は図例に限定されるものではない。例えばヘッドバンド部２の両端部２ａ，２ａは略方形に形成されるものでもよいし、イヤーパッド部３も、クッション部３６がないコンパクトなものであってもよい。
また付け替え自在なヘッドバンド部２の個数、デザインも上述したように図５（ａ）に限定されるものではなく、ヘッドバンド部２字体にブランド名などが掘り込み形成されているものでもよいことはいうまでもない。
【符号の説明】
【００３３】
１      ヘッドホン
２      ヘッドバンド部
２ａ      端部
２１      凹溝部
２３ａ      傾斜状爪部
２４      嵌合レール
２４ａ      差込口
３      イヤーパッド部
３０      係止部
３１      作動子
【図１】
0003165555.tif 000003
【図２】
0003165555.tif 000004
【図３】
0003165555.tif 000005
【図４】
0003165555.tif 000006
【図５】
0003165555.tif 000007